(57)【要約】【課題】表示装置の設定を調整する端末装置の操作性を向上する。【解決手段】表示装置と通信する端末装置は、表示装置から、第１の画像及び第２の画像を含む画像データを取得する取得部と、当該端末装置が有する表示領域の一の辺の長さが所定の長さ以上か否かを判定する判定部と、判定部の判定の結果が肯定である場合に、第１の画像及び第２の画像の両方を表示領域に表示させ、判定の結果が否定である場合に、第２の画像を表示させることなく、第１の画像を前記表示領域に表示させる表示制御部と、を備える。【選択図】図２
2019015812.tif 000002
【特許請求の範囲】
【請求項１】
表示装置と通信する端末装置であって、
前記表示装置から、第１の画像及び第２の画像を含む画像データを取得する取得部と、
当該端末装置が有する表示領域の一の辺の長さが所定の長さ以上か否かを判定する判定部と、
前記判定部の判定の結果が肯定である場合に、前記第１の画像及び前記第２の画像の両方を前記表示領域に表示させ、前記判定の結果が否定である場合に、前記第２の画像を表示させることなく、前記第１の画像を前記表示領域に表示させる表示制御部と、
を備える端末装置。
【請求項２】
前記表示領域の姿勢を検出する姿勢検出部と、
前記姿勢検出部の検出の結果に応じて、前記表示領域が有する複数の辺から前記一の辺を選択する選択部と、
をさらに備えることを特徴とする請求項１に記載の端末装置。
【請求項３】
前記端末装置は、操作を検出する入力検出部をさらに備え、
前記画像データは第３の画像をさらに含み、
前記表示制御部は、
前記判定の結果が否定である場合に、前記第１の画像及び前記第３の画像を前記表示領域に表示させ、前記入力検出部が前記表示領域に表示された前記第３の画像を指定する操作を検出すると、前記第２の画像をさらに前記表示領域に表示させる、
ことを特徴とする請求項１または２に記載の端末装置。
【請求項４】
表示装置と、当該表示装置と通信する端末装置とを備える表示システムであって、
前記表示装置は、
第１の画像及び第２の画像を含む画像データを送信する送信部を備え、
前記端末装置は、
前記送信部が送信する前記画像データを取得する取得部と、
当該端末装置が有する表示領域の一の辺の長さが所定の閾値以上か否かを判定する判定部と、
前記判定部の判定の結果が肯定である場合に、前記表示領域に前記第１の画像及び前記第２の画像の両方を表示させ、前記判定の結果が否定である場合に、前記第２の画像を表示させることなく、前記第１の画像を前記表示領域に表示させる表示制御部と、
を備えることを特徴とする表示システム。
【請求項５】
表示装置と通信する端末装置の制御方法であって、
前記表示装置から、第１の画像及び第２の画像を含む画像データを取得し、
前記端末装置が有する表示領域の一の辺の長さが所定の長さ以上か否かを判定し、
判定結果が肯定である場合に、前記第１の画像及び前記第２の画像の両方を前記表示領域に表示させ、前記判定結果が否定である場合に、前記第２の画像を表示させることなく、前記第１の画像を前記表示領域に表示させる、
ことを特徴とする端末装置の制御方法。
【発明の詳細な説明】
【技術分野】
【０００１】
本発明は、端末装置、表示システム、及び端末装置の制御方法に関する。
【背景技術】
【０００２】
表示装置の設定を、当該表示装置に接続された端末装置を介して調整する表示システムが知られている。例えば特許文献１に記載されている表示システムにおいて、端末装置である制御用コンピューターは、表示装置であるプロジェクターの設定を調整するための操作用ページをプロジェクターから取得し、当該制御用コンピューターの表示領域（例えばモニター）に表示させる。利用者は、制御用コンピューターの表示領域に表示される操作用ページを操作することにより、プロジェクターの設定を調整することができる。
【先行技術文献】
【特許文献】
【０００３】
【特許文献１】特開２００６−３０１４３２号公報
【発明の概要】
【発明が解決しようとする課題】
【０００４】
ところで、操作用ページには、メニューページ及び調整用ページ等の複数の設定用ページが含まれる場合がある。一方で、端末装置が有する表示領域の大きさによっては、操作用ページに含まれる複数の設定用ページの全てを利用者が操作しやすい大きさで表示することができない場合がある。このような場合に、端末装置が表示領域に複数の設定用ページを表示させると、各ページが表示される領域が狭くなり、利用者による設定用ページの操作が困難になることがあった。
【０００５】
本発明は上述した事情に鑑みてなされたものであり、端末装置に表示装置の設定用ページが表示される場合における、当該端末装置の操作性を向上することを、解決課題の一つとする。
【課題を解決するための手段】
【０００６】
以上の課題を解決するために、本発明に係る端末装置は、表示装置と通信する端末装置であって、表示装置から、第１の画像及び第２の画像を含む画像データを取得する取得部と、当該端末装置が有する表示領域の一の辺の長さが所定の長さ以上か否かを判定する判定部と、判定部の判定の結果が肯定である場合に、第１の画像及び第２の画像の両方を表示領域に表示させ、判定の結果が否定である場合に、第２の画像を表示させることなく、第１の画像を表示領域に表示させる表示制御部と、を備える。
上述の端末装置によれば、端末装置の表示領域の一の辺の長さが所定の長さ未満の場合には、第１の画像及び第２の画像のうち第１の画像が表示領域に表示される。このため、第１の画像及び第２の画像の両方を表示領域に表示させる場合と比較して、第１の画像が表示される領域が広くなり、第１の画像の視認性の低下が抑制される。結果として、端末装置の表示領域の一の辺の長さが所定の長さ以上であるか否かにかかわらず第１の画像及び第２の画像の両方が表示領域に表示される場合と比較して、端末装置の操作性が向上する。
【０００７】
上述の端末装置は、表示領域の姿勢を検出する姿勢検出部と、姿勢検出部の検出の結果に応じて、表示領域が有する複数の辺から一の辺を選択する選択部と、をさらに備えてもよい。
この態様によれば、端末装置の表示領域の姿勢に応じて表示領域の一の辺が選択される。すなわち、表示領域の姿勢に応じて第２の画像の表示／非表示が切り替わる。このため、端末装置の表示領域の姿勢が変更されても常に第１の画像及び第２の画像が表示領域に表示される構成と比較して、表示領域の一の辺の長さが所定の長さ未満の場合における第１の画像の視認性の低下を抑制し、端末装置の操作性を向上させることができる。
【０００８】
上述の端末装置は、操作を検出する入力検出部をさらに備え、画像データは第３の画像をさらに含み、表示制御部は、判定の結果が否定である場合に、第１の画像及び第３の画像を表示領域に表示させ、入力検出部が表示領域に表示された第３の画像を指定する操作を検出すると、第２の画像をさらに表示領域に表示させてもよい。
この態様によれば、利用者の必要に応じて第２の画像が表示されるため、端末装置の操作性がさらに向上する。
【０００９】
本発明は、表示装置と、当該表示装置と通信する端末装置とを備える表示システムであって、表示装置は、第１の画像及び第２の画像を含む画像データを送信する送信部を備え、端末装置は、送信部が送信する画像データを取得する取得部と、当該端末装置が有する表示領域の一の辺の長さが所定の閾値以上か否かを判定する判定部と、判定部の判定の結果が肯定である場合に、表示領域に第１の画像及び第２の画像の両方を表示させ、判定の結果が否定である場合に、第２の画像を表示させることなく、第１の画像を表示領域に表示させる表示制御部と、を備えることを特徴とする表示システムとしても理解され得る。
この態様によれば、表示領域の一の辺の長さが所定の閾値未満である場合の、端末装置における第１の画像の視認性の低下が抑制され、結果として端末装置の操作性が向上する。
【００１０】
また、本発明は、上述の端末装置の制御方法としても理解され得る。この態様においても、上述の端末装置と同様の効果が奏される。
【図面の簡単な説明】
【００１１】
【図１】実施形態に係る表示システムの構成例を示す図である。
【図２】実施形態に係る端末装置の処理を説明するためのフローチャートである。
【図３】端末装置に表示される操作用ページの表示例を示す図である。
【図４】端末装置に表示される操作用ページの表示例を示す図である。
【図５】変形例に係る端末装置の処理を説明するためのフローチャートである。
【図６】端末装置に表示される操作用ページの表示例を示す図である。
【図７】端末装置に表示される操作用ページの表示例を示す図である。
【図８】端末装置に表示される操作用ページの表示例を示す図である。
【発明を実施するための形態】
【００１２】
以下、本発明を実施するための形態について図面を参照して説明する。ただし、各図において、各部の寸法及び縮尺は、実際のものと適宜に異ならせてある。また、以下に述べる実施の形態は、本発明の好適な具体例であり、技術的に好ましい種々の限定が付されている。しかし、本発明の範囲は、以下の説明において特に本発明を限定する旨の記載がない限り、これらの形態に限られるものではない。
【００１３】
１．実施形態
１．１．表示システムの構成
図１を参照して、本発明の実施形態に係る表示システムＳＹＳの構成例を説明する。図１は、表示システムＳＹＳの構成例を示すブロック図である。表示システムＳＹＳは、プロジェクターＰＪ（「表示装置」の一例）と、プロジェクターＰＪと通信する端末装置ＴＤと、を含む。プロジェクターＰＪと端末装置ＴＤとは、例えば、移動体通信網、インターネット等のＷＡＮ（Wide Area Network）、またはＬＡＮ（Local Area Network）等のネットワーク（不図示）を介して通信する。本実施形態では、プロジェクターＰＪと端末装置ＴＤとがＨＴＴＰ（Hypertext Transfer Protocol）に準拠して通信する場合を想定するが、例えば近距離無線通信規格（NFC、Near Field Communication）等の他の通信プロトコルが用いられてもよい。また、本実施形態では、プロジェクターＰＪと端末装置ＴＤとが無線通信する場合を例示して説明するが、有線通信してもよい。端末装置ＴＤは、例えば、スマートフォン、フィーチャーフォン、タブレット端末、またはパーソナルコンピューター等の情報処理端末である。本実施形態では、端末装置ＴＤがスマートフォンである場合を例示して説明する。
【００１４】
プロジェクターＰＪは、端末装置ＴＤと通信するための通信部１２（「送信部」の一例）と、不図示の上位装置から供給される画像信号に応じた画像を投射する投射部１４と、画像信号及びプログラムを含む各種のデータを記憶する記憶部１６と、プロジェクターＰＪの各要素の動作を制御する制御部１０と、を含む。
記憶部１６に記憶されるデータには、プロジェクターＰＪの設定を調整するための調整用ページＰｓ（「第１の画像」の一例）と、プロジェクターＰＪの操作メニューを示すメニューページＰｍ（「第２の画像」の一例）と、が含まれる。以下では、調整用ページＰｓ及びメニューページＰｍを、設定用ページＰと総称する場合がある。設定用ページＰは、プロジェクターＰＪの制御部１０が生成してもよいし、記憶部１６に予め記憶されていてもよいし、プロジェクターＰＪが外部装置（例えば上位装置）から取得してもよい。本実施形態において、設定用ページＰは、ＨＴＭＬ（HyperText Markup Language）で記述された、ＧＵＩ（Graphical User Interface）画像である。
【００１５】
制御部１０は、端末装置ＴＤから受信する、端末装置ＴＤの要求を示す要求信号Ｒに応じて、画像データＧを端末装置ＴＤに供給する供給部１０２を備える。より具体的に、供給部１０２は、端末装置ＴＤから設定用ページＰを要求する要求信号Ｒ（設定用ページ要求信号Ｒpと称する）を受信すると、記憶部１６に記憶された設定用ページＰに基づいて画像データＧを生成し、通信部１２を介して端末装置ＴＤに供給する。画像データＧは、通信部１２が端末装置ＴＤへ設定用ページＰを送信するために、設定用ページＰに例えばＨＴＴＰヘッダー等の情報を付加したデータである。本実施形態において、画像データＧは調整用ページＰｓ及びメニューページＰｍを含む。
制御部１０及び制御部１０が備える供給部１０２は、プロジェクターＰＪ内の不図示のＣＰＵ（Central Processing Unit）が、記憶部１６に記憶されたプログラムを実行し、そのプログラムに従って機能することにより実現される機能ブロックである。
【００１６】
端末装置ＴＤは、端末装置ＴＤの各要素の動作を制御する制御部２０と、プロジェクターＰＪと通信するための通信部２２と、各種のデータを記憶する記憶部２３と、表示パネル２４（「表示領域」の一例）と、表示パネル２４における利用者の操作を検出する入力検出部２５と、端末装置ＴＤの姿勢を検出する姿勢検出部２６と、を有する。なお、本実施形態において、表示パネル２４は端末装置ＴＤに固定されているものとする。すなわち、姿勢検出部２６は、表示パネル２４の姿勢を検出するとも換言できる。
【００１７】
記憶部２３が記憶する各種のデータには、プログラムと、プロジェクターＰＪから受信した画像データＧに含まれる設定用ページＰ（本実施形態では、調整用ページＰｓ及びメニューページＰｍ）と、が含まれる。また、記憶部２３が記憶するプログラムには、プロジェクターＰＪを端末装置ＴＤから操作するためのアプリケーションプログラムである操作アプリＡＰが含まれる。
【００１８】
表示パネル２４は、例えばタッチパネル式の液晶ディスプレイであり、制御部２０の制御に従って画像を表示する。なお、表示パネル２４は、液晶ディスプレイに限られず、例えば有機ＥＬ（electro-luminescence）ディスプレイまたは電気泳動ディスプレイ（EPD、Electrophoretic Display）等のディスプレイでもよい。本実施形態において、表示パネル２４は、Ｍ×Ｎ個の画素（Ｍは２以上の自然数、Ｎは１≦Ｎ＜Ｍを満たす自然数）と、表示パネル２４に対する利用者の指の接触を検出するタッチセンサーと、を備える。また、本実施形態における表示パネル２４は略矩形の形状であり、表示パネル２４の一の辺の長さは画素数により表されるものとする。すなわち、表示パネル２４の長辺の長さはＭであり、短辺の長さはＮである。
入力検出部２５は、表示パネル２４が備えるタッチセンサーによる検出の結果に基づいて、利用者の表示パネル２４における操作を検出し、検出された操作を示す操作信号Ｓｐを生成及び出力する。
【００１９】
姿勢検出部２６は、例えば、重力加速度を検出する加速度センサーを備え、加速度センサーによる検出の結果に基づいて、端末装置ＴＤの姿勢を示す姿勢信号Ｓｔを生成する。より具体的には、姿勢検出部２６は、加速度センサーによる検出の結果に基づいて、重力加速度方向（鉛直方向）と、端末装置ＴＤに固定された座標系の有する所定の座標軸（例えば図３参照）との関係（例えば角度）を算出し、当該算出の結果に基づき姿勢信号Ｓｔを生成する。本実施形態では、端末装置ＴＤに、表示パネル２４の短辺と平行なｘ軸と、表示パネルの長辺と平行なｙ軸とが固定されている場合を想定する。また、本実施形態においては、姿勢検出部２６が、鉛直方向とｘ軸との角度を算出することにより端末装置ＴＤの姿勢を検出する場合を例示して説明する。例えば、姿勢検出部２６は、鉛直方向とｘ軸との角度が所定の範囲内である場合に、端末装置ＴＤが縦向きであると検出し、所定の範囲外である場合に、端末装置が横向きであると検出する。本実施形態では、所定の範囲が４５度から１３５度の範囲、及び、２２５度から３１５度の範囲であるとする。例えば、姿勢検出部２６は、ｘ軸と鉛直方向との角度が９０度である場合に端末装置ＴＤが縦向きであると検出し、ｘ軸と鉛直方向との角度が０度（ｘ軸と鉛直方向とが平行）である場合に端末装置が横向きであると検出する。なお、姿勢検出部２６は、利用者が設定した、端末装置ＴＤの姿勢に関する表示モードを取得することにより、端末装置ＴＤの姿勢を検出してもよい。
【００２０】
端末装置ＴＤの制御部２０は、プロジェクターＰＪに画像データＧの供給を要求する要求部２０２と、操作信号Ｓｐ及び姿勢信号Ｓｔを取得する検出結果取得部２１０と、姿勢信号Ｓｔに応じて、表示パネル２４が有する複数の辺から一の辺を選択する選択部２０８と、選択部２０８が選択した、表示パネル２４の一の辺の長さが閾値ＴＨ（「所定の長さ」の一例）以上か否かを判定する判定部２０６と、判定部２０６による判定の結果に応じて、表示パネル２４を制御する表示制御部２０４と、を備える。なお、要求部２０２は、要求に応じてプロジェクターＰＪから送信される画像データＧを取得する取得部として機能する。
【００２１】
本実施形態において、選択部２０８は、端末装置ＴＤの姿勢に応じて、表示パネル２４の横幅を示す辺を選択するものとする。具体的に、選択部２０８は、端末装置ＴＤが横向きである場合には表示パネル２４の長辺を選択し、端末装置ＴＤが縦向きである場合には表示パネル２４の短辺を選択する。また、本実施形態では、閾値ＴＨがＮ＜ＴＨ≦Ｍを満たす自然数である場合を例示して説明する。従って、本実施形態において、端末装置ＴＤが横向きである場合には判定部２０６の判定の結果が肯定となり、端末装置ＴＤが縦向きである場合には判定の結果が否定となる。
制御部２０及び制御部２０が備える各要素は、端末装置ＴＤ内の不図示のＣＰＵが、記憶部２３に記憶されたプログラムを実行し、そのプログラムに従って機能することにより実現される機能ブロックである。特に、図１に示される制御部２０が備える各要素は、ＣＰＵが操作アプリＡＰを含むプログラムを実行することにより実現される機能ブロックである。
【００２２】
１．２．端末装置の動作
以下では、プロジェクターＰＪの設定を端末装置ＴＤから操作するために表示パネル２４に表示されるＧＵＩ画像を、操作用ページＯＰと称する。操作用ページＯＰは、少なくとも１つの設定用ページＰを含む。
利用者が表示パネル２４に表示される操作用ページＯＰを操作すると、端末装置ＴＤはプロジェクターＰＪに対して利用者の操作に応じた要求を示す要求信号Ｒを送信する。より具体的には、入力検出部２５は、表示パネル２４に対する利用者の操作を検出し、操作信号Ｓｐを検出結果取得部２１０に供給する。端末装置の制御部２０は、操作信号Ｓｐに基づき、利用者により指定された要求を示す要求信号Ｒを生成し、通信部２２を介してプロジェクターＰＪに送信する。プロジェクターＰＪの制御部１０は、通信部１２を介して端末装置ＴＤから受信した要求信号Ｒに基づき、利用者の要求に応じた処理を行う。
【００２３】
図２は、端末装置ＴＤが表示パネル２４に操作用ページＯＰを表示させる処理（以下、操作用ページ表示処理と称する場合がある）の一例を説明するためのフローチャートである。
図２に示すフローチャートでは、利用者が端末装置ＴＤを操作してプロジェクターＰＪの設定を調整する設定操作を要求した場合を想定する。なお、「プロジェクターＰＪの設定操作を要求」する操作は、例えば、利用者が、操作アプリＡＰを起動する操作である。
なお、操作アプリＡＰは、例えば汎用のブラウザープログラムを介して起動されてもよい。この場合、制御部２０は、ブラウザープログラムが実行され、起動されたブラウザーウィンドウのアドレスバーに予め定められたプロジェクターＰＪのＩＰ（Internet Protocol）アドレスが入力された場合に、利用者がプロジェクターＰＪの設定操作を要求したと判断し、操作アプリＡＰを起動させてもよい。
【００２４】
利用者がプロジェクターＰＪの設定操作を要求する操作を行うと、要求部２０２は設定用ページ要求信号Ｒpを生成してプロジェクターＰＪに送信し、調整用ページＰｓ及びメニューページＰｍを含む画像データＧを取得する（S1）。検出結果取得部２１０は、姿勢検出部２６から姿勢信号Ｓｔを取得し（S2）、選択部２０８に供給する。選択部２０８は、姿勢信号Ｓｔに基づき、表示パネル２４の一の辺を選択し（S3）、選択した一の辺を示す信号を判定部２０６に供給する。
【００２５】
判定部２０６は、選択部２０８から供給される信号に基づき、選択された一の辺の長さが所定の閾値ＴＨ以上か否かを判定する（S4）。判定の結果が肯定である場合（S4:YES）、表示制御部２０４は、画像データＧに含まれる調整用ページＰｓ及びメニューページＰｍの両方を表示パネル２４に表示させる（S5）。上述のように、本実施形態において、端末装置ＴＤが横向きである場合には、判定部２０６による判定の結果が肯定となる。図３は、端末装置ＴＤが横向きである場合の操作用ページＯＰの表示例を示す。図３に例示するように、端末装置ＴＤが横向きである場合、表示パネル２４に表示される操作用ページＯＰには、調整用ページＰｓ及びメニューページＰｍが含まれる。図３では、表示制御部２０４が、調整用ページＰｓ及びメニューページＰｍをｙ方向に並べて表示させる場合を例示する。なお、図３では、調整用ページＰｓがメニューページＰｍの右側（＋ｙ側）に表示される例を示すが、調整用ページＰｓはメニューページＰｍの左側（−ｙ側）に表示されてもよい。
【００２６】
図３に例示する調整用ページＰｓには、プロジェクターＰＪが投射する画像の画質に関する調整項目が表示される。具体的に、図３では、調整用ページＰｓに含まれる調整項目の例として、「明るさ」、「コントラスト」、及び「シャープネス」を示す。利用者は、図３に示すような調整用ページＰｓを操作することにより、画質に関する各調整項目に係る設定値を調整することができる。また、図３に例示するメニューページＰｍには、プロジェクターＰＪの操作メニューが表示される。具体的に、図３には、操作メニューに含まれる操作項目の例として、例えば「初期設定」、「画質」、「拡張設定」等が示される。利用者は、図３に示すようなメニューページＰｍを操作することにより、任意の操作項目を選択することができる。
【００２７】
判定部２０６による判定の結果が否定である場合（S4:NO）、表示制御部２０４は、調整用ページＰｓを表示パネル２４に表示させる一方、メニューページＰｍは表示させない（S6）。上述のように、本実施形態において、端末装置ＴＤが縦向きである場合には、判定部２０６による判定の結果が否定となる。図４は、端末装置ＴＤが縦向きである場合の操作用ページＯＰの表示例を示す。図４に示すように、端末装置ＴＤが縦向きである場合、表示パネル２４に表示される操作用ページＯＰには、調整用ページＰｓが含まれるが、メニューページＰｍは含まれない。
なお、図３及び図４に示す調整用ページＰｓが含む調整項目、及び、図３に示すメニューページＰｍが含む設定項目は例示である。調整用ページＰｓは、図３及び図４に例示する調整項目に代えて、または加えて、他の調整項目を含んでもよく、メニューページＰｍは、図３に例示する設定項目に代えて、または加えて、他の設定項目を含んでもよい。
【００２８】
上述のステップS5またはS6の後、制御部２０は、利用者が設定操作の完了を指定する操作をしたか否かを判定する（S9）。「設定操作の完了を指定する操作」は、例えば、利用者が操作アプリＡＰを終了する操作でもよいし、利用者がメニューページＰｍにおいて「終了」の項目を選択する操作でもよい。利用者が設定完了を指定する操作をした場合（S9:YES）、制御部２０は操作用ページ表示処理を終了させる。ステップS9の判定の結果が否定である場合（S9:NO）、制御部２０は処理をステップS2に進め、周期的にステップS2〜S4、ステップS5またはS6、及びステップS9の処理を実行する。これにより、利用者が設定完了を指定する操作をするまで、ステップS5またはS6の後に表示パネル２４の姿勢が変更された場合にも、表示パネル２４の姿勢に応じた操作用ページＯＰが表示パネル２４に表示される。なお、制御部２０は、検出結果取得部２１０が取得する姿勢信号Ｓｔに基づき、表示パネル２４の姿勢が縦向きから横向きに変わった場合、または、姿勢が横向きから縦向きに変わった場合にのみ、ステップS3、S4、ステップS5またはS6、及びステップS9の処理を実行してもよい。
【００２９】
以上に説明したように、本実施形態によれば、表示パネル２４の横幅が閾値ＴＨよりも小さい場合（例えば、図４に示すように端末装置ＴＤが縦向きである場合）、表示パネル２４には調整用ページＰｓが表示される一方で、メニューページＰｍは表示されない。このため、表示パネル２４の横幅が閾値ＴＨよりも小さい場合にも表示パネル２４にメニューページＰｍ及び調整用ページＰｓの両方が表示される態様（以下、対比例と称する）と比較して、調整用ページＰｓが表示される領域が広くなる。従って、本実施形態によれば、対比例と比較して、表示パネル２４の横幅が閾値ＴＨよりも小さい場合における調整用ページＰｓの視認性の低下が抑制され、結果として端末装置ＴＤの操作性が向上する。また、本実施形態に例示するように表示パネル２４がタッチパネル式である場合には、調整用ページＰｓが表示される領域が狭いと、調整用ページＰｓが表示される領域が広い場合と比較して、利用者が表示パネル２４上の意図しない場所に触れ、誤操作をする事象が増えることが考えられる。このため、タッチパネル式の表示パネル２４を用いる本実施形態では、表示パネル２４の横幅が閾値ＴＨよりも小さい場合には特に、調整用ページＰｓが表示される領域が広くなることによる端末装置ＴＤの操作性向上の効果が顕著となる。
また、本実施形態によれば、端末装置ＴＤの姿勢（すなわち、表示パネル２４の姿勢）に応じて、メニューページＰｍが表示パネル２４に表示されるか否かが切り替わる。このため、例えば利用者が端末装置ＴＤの姿勢を横向きから縦向きへ変更した場合には、自動的にメニューページＰｍが非表示となり、調整用ページＰｓの視認性の低下が抑制される。
【００３０】
２．変形例
以上の形態は多様に変形され得る。具体的な変形の態様を以下に例示する。以下の例示から任意に選択された２以上の態様は、相互に矛盾しない範囲内で適宜に併合され得る。なお、以下に例示する変形例において作用や機能が実施形態と同等である要素については、以上の説明で参照した符号を流用して各々の詳細な説明を適宜に省略する。
【００３１】
２．１．変形例１
上述した実施形態においては、画像データＧに調整用ページＰｓ及びメニューページＰｍが含まれる場合を例示して説明した。しかし、画像データＧは、調整用ページＰｓ及びメニューページＰｍに加え、メニューページＰｍを表示させるために利用者が操作するメニューボタンＰｂ（「第３の画像」の一例）を含んでもよい。メニューボタンＰｂは、例えばＧＵＩ画像である。
図５は、端末装置ＴＤが、メニューボタンＰｂを含む画像データＧをプロジェクターＰＪから取得した場合の、操作用ページ表示処理の一例を説明するためのフローチャートである。なお、図５において、図２を参照して説明したステップと同様の処理が行われるステップについては、適宜説明を割愛する。図５に示すフローチャートは、図２におけるステップS1に代えてステップS1bが実行される点と、ステップS6に代えてステップS6bが実行される点と、ステップS7及びS8がさらに実行される点と、において図２に示すフローチャートと相違する。
【００３２】
図５のステップS1bにおいて、要求部２０２は、プロジェクターＰＪから、調整用ページＰｓ、メニューページＰｍ、及びメニューボタンＰｂを含む画像データＧを取得する。そして、ステップS4において、判定部２０６による判定の結果が否定の場合（S4:NO）、表示制御部２０４は、調整用ページＰｓに加え、メニューボタンＰｂを表示パネル２４に表示させる（S6b）。図６に、本変形例において、端末装置ＴＤが縦向きである場合（すなわち、判定部２０６による判定の結果が否定である場合）の操作用ページＯＰの表示例を示す。図６は、操作用ページＯＰが調整用ページＰｓを含み、メニューページＰｍを含まない点において図４と同様だが、操作用ページＯＰがメニューボタンＰｂをさらに含む点において図４と異なる。利用者が表示パネル２４においてメニューボタンＰｂを指定する操作を行うと、入力検出部２５は、メニューボタンＰｂが指定された旨を示す操作信号Ｓｐを検出結果取得部２１０に供給する（S7:YES）。なお、利用者が表示パネル２４においてメニューボタンＰｂを指定する操作とは、例えば、表示パネル２４においてメニューボタンＰｂをタップする操作である。操作信号Ｓｐが検出結果取得部２１０に供給されると、表示制御部２０４は、調整用ページＰｓ及びメニューボタンＰｂに加え、メニューページＰｍをさらに表示パネル２４に表示させる（S8）。
【００３３】
図７は、ステップS8において、調整用ページＰｓ及びメニューボタンＰｂに加えてメニューページＰｍが表示パネル２４に表示される場合の操作用ページＯＰの表示例を示す。なお、ステップS4における判定の結果が否定であって、調整用ページＰｓ、メニューボタンＰｂ、及びメニューページＰｍが表示パネル２４に表示される場合の操作用ページＯＰの表示例は、図７に示す例に限定されない。例えば、調整用ページＰｓは、メニューページＰｍが表示されない領域に収まるよう縮小されて表示されてもよい。
図５のステップS7において、メニューボタンＰｂが指定された旨を示す操作信号Ｓｐが検出結果取得部２１０に供給されない場合（S7:NO）、図６に示すように、表示制御部２０４はメニューページＰｍを表示させず、引き続き調整用ページＰｓ及びメニューボタンＰｂを表示パネル２４に表示させる。
【００３４】
図５のステップS4において、判定部２０６による判定の結果が肯定の場合（S4:YES）、表示制御部２０４は、メニューページＰｍ及び調整用ページＰｓを表示パネル２４に表示させる。なお、ステップS4における判定の結果が肯定の場合において、表示制御部２０４は、メニューページＰｍ及び調整用ページＰｓに加え、メニューボタンＰｂをさらに表示パネル２４に表示させてもよい。また、ステップS4における判定の結果が肯定であってメニューページＰｍが表示されている状態において、メニューボタンＰｂが指定された旨を示す操作信号Ｓｐが検出結果取得部２１０に供給された場合、表示制御部２０４は、メニューページＰｍを表示させないようにしてもよい。換言すると、端末装置ＴＤが横向きであっても（すなわち、表示パネル２４の横幅が閾値ＴＨ以上であっても）、メニューページＰｍと調整用ページＰｓとメニューボタンＰｂとが表示されている状態においてメニューボタンＰｂへの操作が検出された場合には、メニューページＰｍを表示パネル２４に表示させず、調整用ページＰｓ及びメニューボタンＰｂを表示させてもよい。
【００３５】
以上の説明から理解されるように、表示制御部２０４は、メニューボタンＰｂを指定する操作の有無（より正確には、メニューボタンＰｂが指定された旨を示す操作信号Ｓｐが検出結果取得部２１０に供給されたか否か）に応じて、表示パネル２４におけるメニューページＰｍの表示／非表示を切り換えてよい。
【００３６】
本変形例によれば、表示パネル２４にメニューページＰｍが表示されていない場合でも、利用者は、メニューボタンＰｂを操作することで、必要に応じてメニューページＰｍの表示と非表示とを切り換えることができる。そのため、端末装置ＴＤの操作性がさらに向上する。
【００３７】
２．２．変形例２
上述の実施形態及び変形例では、閾値ＴＨがＮ＜ＴＨ≦Ｍを満たす自然数である場合を例示して説明した。しかし、閾値ＴＨの値はこの例に限定されるものではなく、固定値に限定されるものでもない。例えば、閾値ＴＨは、プロジェクターＰＪから取得した画像データＧに含まれる少なくとも１つの設定用ページＰのサイズ（例えば横幅の画素数）に基づいて動的に定められてもよい。
【００３８】
２．３．変形例３
上述の実施形態及び変形例では、検出結果取得部２１０が姿勢信号Ｓｔを取得し（図２または図５のS2）、姿勢信号Ｓｔが示す姿勢に基づいて選択部２０８が表示パネル２４の一の辺を選択（図２または図５のS3）した後に、判定部２０６が選択された辺の長さが閾値ＴＨ以上か否かを判定する（図２または図５のS4）場合を例示して説明した。しかし、判定部２０６は、予め定められた辺の長さが、閾値ＴＨ以上か否かを判定してもよい。この場合、図２または図５のステップS2及びS3は省略されてよく、制御部２０は、選択部２０８を備えなくてもよい。
以上の構成に代えて、表示制御部２０４は、表示パネル２４の姿勢に基づいて、操作用ページＯＰを表示パネル２４に表示させてもよい。具体的に、表示制御部２０４は、表示パネル２４の姿勢が横向きである旨を示す姿勢信号Ｓｔを検出結果取得部２１０が取得した場合に、図２または図５のステップS5の処理を行い、表示パネル２４の姿勢が縦向きである旨を示す姿勢信号Ｓｔを検出結果取得部２１０が取得した場合に、図２のステップS6、または、図５のステップS6bの処理を行ってもよい。この場合、図２または図５のステップS3及びS4は省略されてよく、制御部２０は、選択部２０８及び判定部２０６を備えなくてもよい。
【００３９】
２．４．変形例４
上述の実施形態及び変形例では、選択部２０８が、表示パネル２４の横幅を示す辺を選択する場合を例示して説明した。しかし、選択部２０８は、表示パネル２４の高さ（縦幅）を示す辺を選択してもよい。具体的に、選択部２０８は、端末装置ＴＤが横向きである場合には表示パネル２４の短辺を選択し、端末装置ＴＤが縦向きである場合には表示パネル２４の長辺を選択してもよい。
図８は、操作用ページＯＰが調整用ページＰｓ及びメニューページＰｍを含む場合の、本変形例に係る操作用ページＯＰの表示例を示す。なお、図８では、調整用ページＰｓがメニューページＰｍの上方（＋ｙ側）に表示される例を示すが、調整用ページＰｓはメニューページＰｍの下方（−ｙ側）に表示されてもよい。
なお、選択部２０８が、表示パネル２４の横幅を示す辺を選択するか、縦幅を示す辺を選択するかは、予め定められていてもよいし、利用者が指定してもよい。
【００４０】
２．５．変形例５
上述の実施形態及び変形例では、表示装置としてプロジェクターＰＪを例示して説明したが、表示装置は投射型の表示装置に限定されるものではなく、例えば液晶テレビなどの直視型の表示装置でもよい。
【００４１】
以上の説明から理解されるように、本発明は、端末装置ＴＤのような端末装置としても、プロジェクターＰＪのような表示装置及び端末装置を備える表示システムとしても理解され得る。また、端末装置ＴＤが実施する処理を実現するための端末装置ＴＤの制御方法としても、端末装置ＴＤに処理を実行させるために端末装置ＴＤのプロセッサー（例えばＣＰＵ）が実行するプログラムとしても理解され得る。本発明に係るプログラムは、当該プログラムを記憶させた記録媒体の形態で提供されてもよいし、インターネット等のネットワークを介して情報処理装置のプロセッサーにダウンロードさせることにより提供されてもよい。
【符号の説明】
【００４２】
１０…制御部、１２…通信部、１４…投射部、１６…記憶部、２０…制御部、２２…通信部、２３…記憶部、２４…表示パネル、２５…入力検出部、２６…姿勢検出部、１０２…供給部、２０２…要求部、２０４…表示制御部、２０６…判定部、２０８…選択部、２１０…検出結果取得部、Ｇ…画像データ、ＯＰ…操作用ページ、Ｐ…設定用ページ、ＰＪ…プロジェクター、Ｐｂ…メニューボタン、Ｐｍ…メニューページ、Ｐｓ…調整用ページ、ＳＹＳ…表示システム、ＴＤ…端末装置、ＴＨ…閾値。
【図１】
2019015812.tif 000003
【図２】
2019015812.tif 000004
【図３】
2019015812.tif 000005
【図４】
2019015812.tif 000006
【図５】
2019015812.tif 000007
【図６】
2019015812.tif 000008
【図７】
2019015812.tif 000009
【図８】
2019015812.tif 000010